(57)【要約】【課題】光軸調整時におけるロッドインテグレータの損傷防止。【解決手段】プロジェクタにおいて、ロッドインテグレータ２００は、光入射面２０２から入射した光をロッド側面２０１で全反射させつつ、光射出面２０４より射出する。カラーホイール３００の色フィルタ３１０Ｒ，Ｇ，Ｂ等は、それぞれＲＧＢの１色の光のみを通過し、他の色光を反射する。色フィルタで反射された光の再利用のため、光入射面２０２には、開口部２０６ａを除いて反射膜２０６が形成されている。反射膜２０６を、耐熱性が高いＴａ２Ｏ５及びＳｉＯ２の多層膜とすることで、光軸調整時において、光源から集光された光が一時的に反射膜２０６に入射するときの損傷を防止することができる。【選択図】  図２
2004163481.tif 000002
【特許請求の範囲】
【請求項１】
ロッドインテグレータであって、
内側が光を反射する筒状の側面部材と、
該側面部材の一方の開口部に設けられ、光を該ロッドインテグレータに導入する入射口を有する入口基材と、
前記入口基材の前記側面部材内面側に設けられた、光を反射する膜とを備え、
前記入口基材は、耐熱性及び熱伝導性の少なくとも１つが前記側面部材よりも高いロッドインテグレータ。
【請求項２】
請求項１記載のロッドインテグレータであって、
前記入口基材はサファイアと水晶と石英とのいずれかであるロッドインテグレータ。
【請求項３】
ロッドインテグレータであって、
内側が光を反射する筒状の側面部材と、
該側面部材の一方の開口部に設けられ、集光された光源からの光を該ロッドインテグレータに導入する入射口を有する入口基材と、
前記入口基材の前記側面部材内面側に設けられた、光を反射する膜と、
前記入口基材に設けられ、前記光源側から入射する光を反射するＴａ２Ｏ５及びＳｉＯ２の多層膜とを備えるロッドインテグレータ。
【請求項４】
ロッドインテグレータであって、
内側が光を反射する筒状の側面部材と、
該側面部材の一方の開口部に設けられ、集光された光源からの光を該ロッドインテグレータに導入する入射口を有する透光性の入口基材と、
前記入口基材の前記側面部材内面側に設けられた、光を反射するＴａ２Ｏ５及びＳｉＯ２の多層膜とを備えるロッドインテグレータ。
【請求項５】
ロッドインテグレータであって、
集光された光源からの光が入射する入射口を有する入射面と、該入射した光が出射する出射面とを備える柱状の透光性部材と、
前記入射面の一部で、前記入射口の外周を形成するように設けられ、前記出射面側からの光を該出射面の方向に反射するとともに、前記光源側からの光を該光源側に反射するＴａ２Ｏ５及びＳｉＯ２の多層膜とを備えるロッドインテグレータ。
【請求項６】
ロッドインテグレータ装置であって、
請求項１〜５いずれか記載のロッドインテグレータと、
該ロッドインテグレータにおける前記入射口の近傍を冷却するファンとを備えるロッドインテグレータ装置。
【請求項７】
プロジェクタであって、
光源と、
該光源からの光束が通過する、請求項１〜５いずれか記載のロッドインテグレータと、
前記ロッドインテグレータから射出される前記光束に所定の変調を施して画像を形成する変調部と、
該形成された画像を投写表示する投写部とを備えるプロジェクタ。
【発明の詳細な説明】
【０００１】
【発明の属する技術分野】
本発明はロッドインテグレータの損傷防止に関する。
【０００２】
【従来の技術】
従来、画像の投写表示を行う種々のタイプのプロジェクタが利用されている。近年、投写光を有効に使うプロジェクタとして、ＳＣＲ（Ｓｅｑｕｅｎｔｉａｌ  Ｃｏｌｏｒ  Ｒｅｃａｐｔｕｒｅ）方式と呼ばれるプロジェクタも利用されている。
【０００３】
図１は、ＳＣＲ方式のプロジェクタ１０００の要部を示す概略平面図である。光源ランプ１２０が発する光は楕円リフレクタ１１０によりロッドインテグレータ２００の開口部２０６ａに集光される。ここで、光源ランプ１２０には、メタルハライドランプや高圧水銀灯などの高圧放電灯、その他の強力な照明が可能な光源が利用されている。集光された光はロッドインテグレータ２００によって均一化された後に、カラーホイール３００とリレー光学系４００等を経てＤＭＤ７００の光照射面７０２を照明する。
【０００４】
カラーホイール３００は、回転軸３２０を中心に図示しないモータによって回転可能に構成された円板状のフィルタ面３１０を有している。フィルタ面３１０には、Ｒ（赤），Ｇ（緑），Ｂ（青）それぞれの色フィルタが複数設けられる。Ｒ，Ｇ，Ｂの色フィルタは、それぞれ対応する色光を透過し、他の色光を反射するフィルタである。ある時間タイミングにおいて、ロッドインテグレータ２００の光射出面２０４は、カラーホイール３００の複数の色フィルタに分割される。
【０００５】
ＳＣＲ方式のプロジェクタでは、カラーホイール３００からロッドインテグレータ２００内部に反射して戻された光を、ロッドインテグレータ２００の光入射面２０２に設けられた反射膜２０６で反射させ、投写光として再利用する。このようにすることで、投写画像を明るくすることができる。
【０００６】
【特許文献１】
特開平１０−２５３９２３
【０００７】
【発明が解決しようとする課題】
ここで、ＳＣＲ方式におけるロッドインテグレータでは、光入射面２０２に反射膜２０６を設ける制約上、開口部２０６ａを十分小さくするとともに、光源装置１００からの光を十分集約して開口部２０６ａに入射させる必要がある。したがって、楕円リフレクタ１１０により集光される光の照度は極めて高いものである。ところで、ロッドインテグレータ２００又は光源装置１００の光軸調整時には、集光された光が一時的に反射膜２０６に照射されることがある。係る場合、熱によって反射膜２０６が損傷してしまう可能性があった。また、これと併せて、ロッドインテグレータ２００を構成するガラス自体までも、反射膜２０６に生じる熱により損傷することがあった。
【０００８】
かかる課題は、上述したＳＣＲ方式のプロジェクタに限らず、集光された光をロッドインテグレータに入射する場合に共通の課題であった。
【０００９】
本発明は、上述の課題を解決するためになされたものであり、ロッドインテグレータの損傷防止を目的とする。
【００１０】
【課題を解決するための手段およびその作用・効果】
上記課題の少なくとも一部を解決するために、本発明では、次の構成を適用した。
本発明の第１のロッドインテグレータは、
内側が光を反射する筒状の側面部材と、
該側面部材の一方の開口部に設けられ、光を該ロッドインテグレータに導入する入射口を有する入口基材と、
前記入口基材の前記側面部材内面側に設けられた、光を反射する膜とを備え、
前記入口基材は、耐熱性及び熱伝導性の少なくとも１つが前記側面部材よりも高いことを要旨とする。
【００１１】
このようにすることで、集光された光が一時的に入口基材に入射しても、その損傷を抑制することができる。耐熱性及び熱伝導性の少なくとも１つが高い入口基材が利用されるためである。
【００１２】
なお、入口基材は、耐熱性及び熱伝導性の少なくとも１つが、ガラス又は樹脂よりも高い材料を用いることができる。
【００１３】
本発明のロッドインテグレータにおいて、
前記入口基材はサファイアと水晶と石英とのいずれかであるものとしてもよい。
【００１４】
なお、入口基材は、サファイアと水晶と石英以外にも、耐熱性及び熱伝導性の少なくとも１つが高い種々の材料を利用することができる。
【００１５】
本発明の第２のロッドインテグレータは、
内側が光を反射する筒状の側面部材と、
該側面部材の一方の開口部に設けられ、集光された光源からの光を該ロッドインテグレータに導入する入射口を有する入口基材と、
前記入口基材の前記側面部材内面側に設けられた、光を反射する膜と、
前記入口基材に設けられ、前記光源側から入射する光を反射するＴａ２Ｏ５及びＳｉＯ２の多層膜とを備えることを要旨とする。
【００１６】
このようにすることで、集光された光が一時的に入口基材に入射しても、その損傷を抑制することができる。Ｔａ２Ｏ５及びＳｉＯ２の多層膜が光源側から入射する光を反射することで、吸熱による発熱が抑制されるためである。このとき、耐熱性が高いＴａ２Ｏ５及びＳｉＯ２の多層膜を利用することで、多層膜自体の損傷も回避される。
【００１７】
なお、Ｔａ２Ｏ５及びＳｉＯ２の多層膜の層数を少なくすることで、コストの低減を図るものとしてもよい。例えば、層数は１０層以下であってもよい。このとき、層数が少いことにより、光源側から入射する光を反射する性能が低下してもよい。例えば、Ｔａ２Ｏ５及びＳｉＯ２の多層膜は、光の反射率がアルミニウム膜や銀膜よりも低くてもよい。なお、Ｔａ２Ｏ５及びＳｉＯ２の多層膜に変えて、耐熱性がアルミニウム膜及び銀膜よりも高い反射性の材料で熱保護膜を形成してもよい。
【００１８】
また、Ｔａ２Ｏ５及びＳｉＯ２の多層膜は、入口基材の全面でなく、入射口の近傍にのみ設けてもよい。
【００１９】
本発明の第３のロッドインテグレータは、
内側が光を反射する筒状の側面部材と、
該側面部材の一方の開口部に設けられ、集光された光源からの光を該ロッドインテグレータに導入する入射口を有する透光性の入口基材と、
前記入口基材の前記側面部材内面側に設けられた、光を反射するＴａ２Ｏ５及びＳｉＯ２の多層膜とを備えることを要旨とする。
【００２０】
このようにすることで、集光された光が一時的に入口基材に入射しても、その損傷を抑制することができる。Ｔａ２Ｏ５及びＳｉＯ２の多層膜が光源側から入射する光を反射することで、吸熱による発熱が抑制されるためである。このとき、耐熱性が高いＴａ２Ｏ５及びＳｉＯ２の多層膜を利用することで、多層膜自体の損傷も回避される。また、ロッドインテグレータの構造を簡潔にすることができる。Ｔａ２Ｏ５及びＳｉＯ２の多層膜の両面を反射面として利用するためである。
【００２１】
なお、Ｔａ２Ｏ５及びＳｉＯ２の多層膜は、出射口側からの光を反射する性能が十分に高いように構成することが望ましい。例えば、アルミニウム膜または銀膜と、少なくとも同程度の反射性能を有するものとしてもよい。具体的には、Ｔａ２Ｏ５及びＳｉＯ２の多層膜の層数は１０層以上にすることが望ましい。
【００２２】
なお、第１〜第３のロッドインテグレータが有する特徴部分は、適宜組み合わせて適用してもよい。
【００２３】
本発明の第４のロッドインテグレータは、
集光された光源からの光が入射する入射口を有する入射面と、該入射した光が出射する出射面とを備える柱状の透光性部材と、
前記入射面の一部で、前記入射口の外周を形成するように設けられ、前記出射面側からの光を該出射面の方向に反射するとともに、前記光源側からの光を該光源側に反射するＴａ２Ｏ５及びＳｉＯ２の多層膜とを備えることを要旨とする。
【００２４】
このようにすることで、集光された光が一時的に入口基材に入射しても、その損傷を抑制することができる。Ｔａ２Ｏ５及びＳｉＯ２の多層膜が光源側から入射する光を反射することで、吸熱による発熱が抑制されるためである。このとき、耐熱性が高いＴａ２Ｏ５及びＳｉＯ２の多層膜を利用することで、多層膜自体の損傷が回避される。
【００２５】
なお、Ｔａ２Ｏ５及びＳｉＯ２の多層膜は、出射面側からの光を反射する性能が十分に高いことが望ましい。例えば、アルミニウム膜または銀膜と、少なくとも同程度の反射率を奏するものとしてもよい。具体的には、Ｔａ２Ｏ５及びＳｉＯ２の多層膜の層数は１０層以上にすることが望ましい。
【００２６】
本発明のロッドインテグレータ装置は、
上述した種々のロッドインテグレータと、
該ロッドインテグレータにおける前記入射口の近傍を冷却するファンとを備えることを要旨とする。
【００２７】
このようにすることで、集光された光が一時的に入口基材に入射しても、その損傷を避けることができる。ファンによって入射口が冷却可能なためである。なお、ファンは着脱可能なものとしてもよい。また、ファンは、取付け位置の調整時、その他損傷のおそれがあるときにのみ起動させるものとしてもよい。
【００２８】
本発明のプロジェクタは、
光源と、
該光源からの光束が通過する、前記本発明のロッドインテグレータと、
前記ロッドインテグレータから射出される前記光束に所定の変調を施して画像を形成する変調部と、
該形成された画像を投写表示する投写部とを備えることを要旨とする。
【００２９】
なお、プロジェクタは、ＳＣＲ方式を利用するものであってもよいし、ＳＣＲ方式を利用しないものであってもよい。変調部は、透過型や反射型の種々の液晶パネルや、ＤＭＤ（Ｄｉｓｉｔａｌ  Ｍｉｃｒｏｍｉｒｒｏｒ  Ｄｅｖｉｃｅ；米国ＴＩ社の登録商標）などを利用することができる。
【００３０】
【発明の実施の形態】
以下、本発明の実施の形態について、実施例に基づき以下の順序で説明する。
2004163481.tif 000003
【００３１】
Ａ．第１実施例；ソリッド型：
Ａ１．全体構成：
本発明に係るプロジェクタの全体構成について、図１を参照しつつ説明する。光源装置１００は、回転楕円面形状の反射面を有する楕円リフレクタ１１０と、光源ランプ１２０とで構成される。光源ランプ１２０は、楕円リフレクタ１１０の焦点Ｆ１に配置され、光源装置１００から射出される光は、楕円リフレクタ１１０の第２焦点に位置する開口部２０６ａで集束する集光光となる。
【００３２】
図２は、ロッドインテグレータ２００の構成を示す説明図である。
ロッドインテグレータ２００は、内部全体がガラス等の透光性部材で形成されている。ロッドインテグレータ２００は、光入射面２０２から入射した光を、ロッド側面２０１の境界における媒質の屈折率の差により内部全反射を行わせつつ、光射出面２０４より射出する。ロッドインテグレータ２００は、このようにして入射する光を、照度分布をほぼ均一化して射出することができる。
【００３３】
ここで、ロッドインテグレータ２００の光入射面２０２には、中心近傍を除いて反射膜２０６が形成されている。反射膜２０６は、光入射面２０２上にアルミニウム膜、銀膜等を形成することにより構成される。
【００３４】
図２では、ロッドインテグレータ２００と光路上で隣接して設けられるカラーホイール３００の構成についても併せて示した。
カラーホイール３００は、回転軸３２０を中心に図示しないモータによって回転可能に構成された円板状のフィルタ面３１０を有している。フィルタ面３１０には、Ｒ（赤），Ｇ（緑），Ｂ（青）それぞれの色フィルタの境界線（図中実線で示す曲線）が、フィルタ面３１０上における回転軸３２０上の中心点を中心にアルキメデスのスパイラルを形成するように配列形成されている。
【００３５】
Ｒ，Ｇ，Ｂそれぞれの色フィルタは、それぞれ対応する色光を透過し、他の色光をロッドインテグレータ２００内に反射するフィルタである。これらの色フィルタは、それぞれ対応するダイクロイック膜をフィルタ面３１０上にコーティングすることにより形成される。
【００３６】
カラーホイール３００は、フィルタ面３１０がロッドインテグレータ２００の光射出面２０４に平行に近接配置される。図２では、光射出面２０４に対応するカラーホイール３００上の領域３１１を示している。領域３１１に見られるように、ある時間タイミングにおいて、カラーホイール３００の複数の色フィルタに光が入射されることとなる。各色フィルタは、それぞれ対応する色光のみを透過し、他の色光を反射する。カラーホイール３００を通過して結像される光の像は、Ｒ，Ｇ，Ｂの複数の色光の領域に区分されている。
【００３７】
ここで、リレー光学系４００は、カラーホイール３００から射出した、色光の領域に区分された光の像を、ＤＭＤ７００の光入射面７０２上で結像する。
【００３８】
ＤＭＤ７００は、光変調装置たるデジタル・マイクロミラー・デバイス（ＤＭＤ、ＴＩ社の商標）である。ＤＭＤ７００に入射した光は、画像信号に応じて変調され、所望の画像を表す画像光として反射される。ＤＭＤ７００から射出された画像光は、投写光学系８００を介してスクリーン上に投写される。
【００３９】
ここで、プロジェクタ１０００が有するレシーバ及びＤＭＤ駆動部（図１で示ず）について説明する。レシーバは、パーソナルコンピュータ等の情報端末から供給されるアナログ画像信号あるいはディジタル画像信号や、ＡＶ機器等から供給される映像信号を入力する。ＤＭＤ駆動部は、入力データに基づいてＤＭＤ７００を駆動するための駆動信号を生成する。
【００４０】
ＤＭＤ駆動部は、ＤＭＤ７００の各画素について、その画素に照射されている光の色に応じた色成分画像に係る信号をＤＭＤ７００に供給する。供給される信号の種類は、カラーホイール３００の回転に応じて変化される。投写光学系８００を介してスクリーン上に投写される画像では、表示された各画素の色成分画像が人間の目の残像効果によって合成される。これにより、プロジェクタ１０００のユーザ等は１つのカラー画像を見ることができる。
【００４１】
次に、カラーホイール３００で反射された光の再利用について説明する。図２では、開口部２０６ａから入射する光線の一例を示した。開口部２０６ａから入射した光線は、ロッド側面２０１で反射しつつ、光射出面２０４を経てＧ光透過フィルタ３１０Ｇに入射する。Ｇ光透過フィルタ３１０Ｇに入射した光線のうち、Ｇ光は透過され、Ｒ光およびＢ光は反射されて光射出面２０４からロッドインテグレータ２００の内部に再び入射する。
【００４２】
Ｇ光透過フィルタ３１０Ｇで反射されたＲ光およびＢ光（以下、「ＲＢ光」と呼ぶ。）は、ロッドインテグレータ２００の内部で反射を繰り返しながら光入射面２０２の方向へ戻る。ここで、光入射面２０２上には、開口部２０６ａを除いて反射膜２０６が形成されている。光入射面２０２に到達したＲＢ光は、開口部２０６ａを通過する一部のＲＢ光を除いて反射膜２０６で反射される。
【００４３】
反射膜２０６で反射されたＲＢ光はロッドインテグレータ２００の内部を反射しながら光射出面２０４の方向へ進む。光射出面２０４から射出された光は、カラーホイール３００のＢ光通過フィルタ３１０Ｂに入射する。Ｂ光透過フィルタ３１０Ｇに入射したＲＢ光のうち、Ｂ光は透過され、Ｒ光は反射されてロッドインテグレータ２００の内部に再び入射する。
【００４４】
このようにして、ロッドインテグレータ２００の光入射面２０２から入射した光は、光射出面２０４との間を往復しつつ、最終的にＲ，Ｇ，Ｂ光通過フィルタ３１０Ｒ，３１０Ｇ，３１０Ｂのいずれかから射出される。もっとも、一部の光は開口部２０６ａから漏れることとなるが、相対的に見て少量である。
【００４５】
図３は、光入射面２０２の照度分布を示す説明図である。図３では、光入射面２０２における照度分布を、光入射面２０２の中心点（光軸位置）からの距離ｒ（ｍｍ）に応じて示した。図３に示す縦軸は任意強度目盛である。また横軸は、ロッドインテグレータ２００の開口部２０６ａの直径１０ｍｍに対して、０≦ｒ≦５の範囲について示している。
【００４６】
光入射面２０２の各部における照度は概ね、当該距離ｒのみに基づいて定まる。光入射面２０２の中心点や、距離ｒが十分小さい部分での照度は相対的に極めて高い。光入射面２０２の中心点における照度は、例えば４５００ルクス程度の場合もある。光入射面２０２の中心点や、距離ｒが十分小さい部分における照度は一般にかなり高い。照度が高い光が照射されると、反射膜２０６は損傷が不可避である。また、反射膜２０６の発熱により、ロッドインテグレータを構成する透光性ロッド自体も損傷する。
【００４７】
図４は、第１実施例に係るロッドインテグレータ２００の構成の詳細を示す説明図である。図４では、ロッドインテグレータ２００の光入射面２０２側の側面図と、平面図と、光射出面２０４側の側面図とを併せて示した。
【００４８】
前述の通り、ロッドインテグレータ２００は、略矩形状の輪郭を有する光入射面２０２および光射出面２０４を備える四角柱状の透光性ロッドである。なお、ロッドインテグレータ２００は、ガラスにより構成されてもよいし、樹脂により構成されてもよい。
【００４９】
実施例で反射膜２０６は、光入射面２０２上にＴａ２Ｏ５及びＳｉＯ２の多層膜を形成することで構成される。Ｔａ２Ｏ５及びＳｉＯ２の多層膜２０６は、開口部２０６ａを除く光入射面２０２の全面に形成され、開口部２０６ａの外周を構成する。
【００５０】
ここで、Ｔａ２Ｏ５及びＳｉＯ２の多層膜２０６は、１０層以上に形成されている。もっとも、Ｔａ２Ｏ５及びＳｉＯ２の多層膜２０６は、光射出面２０４側から入射する光を、光射出面２０４側に十分に反射し返すものであれば、１０層以下であってもよい。
【００５１】
Ｔａ２Ｏ５及びＳｉＯ２の多層膜２０６は、アルミニウム膜、銀膜等の場合と同様に、光射出面２０４側から入射する光を、光射出面２０４側に反射し返す機能を有する。また、Ｔａ２Ｏ５及びＳｉＯ２の多層膜２０６は、光源装置１００側から入射する光を、光源装置１００側に反射し返す機能を有する。
【００５２】
ここで、Ｔａ２Ｏ５及びＳｉＯ２の多層膜２０６は、アルミニウム膜及び銀膜よりも耐熱性が高い性質を有する。なお、Ｔａ２Ｏ５及びＳｉＯ２の多層膜２０６に変えて、耐熱性がアルミニウム膜及び銀膜よりも高い種々の反射性の材料を利用してもよい。
【００５３】
以上説明したロッドインテグレータ２００によれば、光軸調整時に光が開口部２０６ａからずれても、ロッドインテグレータの損傷を抑制することができる。Ｔａ２Ｏ５及びＳｉＯ２の多層膜２０６は、アルミニウム膜及び銀膜よりも耐熱性が高いためである。また、Ｔａ２Ｏ５及びＳｉＯ２の多層膜２０６は、光源装置１００側から入射する光を光源装置１００側に反射するため、多層膜２０６の吸光による発熱が抑制され、ロッドインテグレータ２００本体の損傷も抑制できる。
【００５４】
なお、光源装置１００は、回転放物面形状の反射面を有するリフレクタを用いるようにしてもよい。ただし、この場合、射出される光が略平行な光となるため、光を集光するためにレンズを用いる。また、上述の説明では、光変調装置としてＤＭＤ７００を利用するものとしたが、透過型又は反射型の液晶パネルを利用する場合も同様である。
【００５５】
Ｂ．第２実施例；中空型：
第１実施例では、ソリッド型のロッドインテグレータ２００を利用する場合について示したが、本実施例では、中空型のロッドインテグレータを利用する場合について示す。
【００５６】
図５は、中空型のロッドインテグレータ２００ａの構成を示す説明図である。中空型のロッドインテグレータ２００ａはライトトンネルとも呼ばれ、第１実施例におけるソリッド型のロッドインテグレータ２００の場合と同様に、光源装置１００から射出された集光光を均一化して射出する機能を奏する。
【００５７】
中空型のロッドインテグレータ２００ａは、本体部８００と、蓋部材８０１とを貼り合せてなる。本体部８００は、４つの側面部材８００ａ〜８００ｄよりなり、内側が中空である。また、４つの側面部材８００ａ〜８００ｄは、各々内側面がアルミニウム膜、銀膜等の反射面で覆われている。
【００５８】
蓋部材８０１は、本体部８００と接合する出射面８０３と、出射面８０３に対向する入射面８０４とを備える略直方体形状を有する。また、蓋部材８０１には、第１実施例における開口部２０６ａ（図２，４参照）に相当する孔８０２が、入射面８０４から出射面８０３に貫通して設けられている。
【００５９】
孔８０２から入射した光は、側面部材８００ａ〜８００ｄの内側面で反射しつつ、光射出口８０７より射出される。
【００６０】
図６は、蓋部材８０１の構成の詳細を示す説明図である。これは、図５のＡ−Ａ断面の拡大図である。蓋部材８０１における出射面８０３側には、銀膜８０６が形成される。また、入射面８０４側にはＴａ２Ｏ５及びＳｉＯ２の多層膜８０５が形成される。
【００６１】
ここで、Ｔａ２Ｏ５及びＳｉＯ２の多層膜８０５は１０層以下に形成されている。ただし、かかる場合に限定されることはなく。１０層以上であってもよい。
【００６２】
銀膜８０６は、カラーホイール３００側から入射する光を、カラーホイール３００側に反射して返す。また、Ｔａ２Ｏ５及びＳｉＯ２の多層膜８０５は、光源装置１００側から入射する光を、光源装置１００側に反射して返す。
【００６３】
以上説明したロッドインテグレータ２００ａによれば、光軸調整時におけるロッドインテグレータの損傷を抑制できる。Ｔａ２Ｏ５及びＳｉＯ２の多層膜８０５が、光源装置１００側から入射する光を、光源装置１００側に反射し返すためである。このとき、耐熱性が高いＴａ２Ｏ５及びＳｉＯ２の多層膜８０５が利用されることで、多層膜８０５自体が発生する熱により損傷することもない。また、Ｔａ２Ｏ５及びＳｉＯ２の多層膜８０５は１０層以下に形成されていることから、簡潔な構成として製造コストを低減することができる。
【００６４】
なお、Ｔａ２Ｏ５及びＳｉＯ２の多層膜８０５は、孔８０２の近傍にのみ設けるものとしてもよい。
【００６５】
Ｂ１．変形例（１）：
図７は、変形例（１）に係る蓋部材８１１の構成の詳細を示す説明図である。変形例（１）において、透光性部材により形成される蓋部材８１１において、入射面８１４には膜は形成されない。一方、出射面８１３側にはＴａ２Ｏ５及びＳｉＯ２の多層膜８１６が形成される。ここで、Ｔａ２Ｏ５及びＳｉＯ２の多層膜８１６は１０層以上に形成されている。
【００６６】
Ｔａ２Ｏ５及びＳｉＯ２の多層膜８１６は、カラーホイール３００側から入射する光を、カラーホイール３００側に反射して返す。また、Ｔａ２Ｏ５及びＳｉＯ２の多層膜８１６は、光源装置１００側から入射する光を、蓋部材８１１の内部を透過させつつ、光源装置１００側に反射して返す機能を奏する。
【００６７】
以上説明したロッドインテグレータによれば、光軸調整時におけるロッドインテグレータの損傷を抑制することができる。Ｔａ２Ｏ５及びＳｉＯ２の多層膜８１６が、光源装置１００側から入射する光を光源装置１００側に反射し返すためである。このとき、Ｔａ２Ｏ５及びＳｉＯ２の多層膜８０５は耐熱性が高いことから、発生する熱により損傷することがない。また、入射面８１４に膜形成が不要であることから、簡潔な構成を実現することができる。
【００６８】
Ｂ２．変形例（２）：
図８は、変形例（２）に係る蓋部材８２１の構成の詳細を示す説明図である。蓋部材８２１における入射面８２４には膜は形成されない。一方、出射面８２３側には銀膜８２６が形成される。銀膜８２６は、カラーホイール３００側から入射する光を、カラーホイール３００側に反射して返す。
【００６９】
ここで蓋部材８２１はサファイアにより構成された部材である。サファイアは、耐熱性及び熱伝導性が高い。例えば、側面部材８００ａ〜８００ｄ（図５参照）を構成するガラス又は樹脂よりも高い。なお、蓋部材８２１は、耐熱性又は熱伝導性の少なくとも１つが高い部材であれば種々の部材を利用することができる。例えば、水晶や石英を利用してもよい。
【００７０】
以上説明したロッドインテグレータによれば、光軸調整時におけるロッドインテグレータの損傷を抑制することができる。蓋部材８２１の耐熱性及び熱伝導性が高いためである。また、蓋部材８２１に形成する膜は銀膜８２６のみであることから、簡潔な構成とすることができる。
【００７１】
なお、変形例（１）の場合と同様に、出射面８２３に形成する膜を、Ｔａ２Ｏ５及びＳｉＯ２の多層膜としてもよい。また、図６で示した場合と同様に、入射面８２４にＴａ２Ｏ５及びＳｉＯ２の多層膜を形成するものとしてもよい。
【００７２】
Ｃ．第３実施例；ファン：
図９は、プロジェクタに設けられるファン８３０を示す説明図である。ファン８３０は、ロッドインテグレータ２００の光入射面８３２を冷却可能な位置に設けられる。
【００７３】
以上説明した、ロッドインテグレータ２００及びファン８３０よりなるロッドインテグレータ装置によれば、光軸調整時におけるロッドインテグレータの損傷を抑制することができる。
【００７４】
以上、実施例に基づき本発明にかかるロッドインテグレータ、ロッドインテグレータ装置及びプロジェクタを説明してきたが、上述した発明の実施の形態は、本発明の理解を容易にするためのものであり、本発明を限定するものではない。本発明は、その趣旨並びに特許請求の範囲を逸脱することなく、変更、改良され得る。
【図面の簡単な説明】
【図１】ＳＣＲ方式のプロジェクタ１０００の要部を示す概略平面図である。
【図２】ロッドインテグレータ２００の構成を示す説明図である。
【図３】光入射面２０２の照度分布を示す説明図である。
【図４】第１実施例に係るロッドインテグレータ２００の構成の詳細を示す説明図である。
【図５】中空型のロッドインテグレータ２００ａの構成を示す説明図である。
【図６】蓋部材８０１の構成の詳細を示す説明図である。
【図７】変形例（１）に係る蓋部材８１１の構成の詳細を示す説明図である。
【図８】変形例（２）に係る蓋部材８２１の構成の詳細を示す説明図である。
【図９】プロジェクタに設けられるファン８３０を示す説明図である。
【符号の説明】
１０００…プロジェクタ
１００…光源装置
１１０…楕円リフレクタ
１２０…光源ランプ
Ｆ１…第１焦点
２００…ソリッド型のロッドインテグレータ
２００ａｘ…ロッドインテグレータ２００の中心軸
２０１…ロッド側面
２０２…光入射面
２０４…光射出面
２０６…反射膜
２０６ａ…開口部
２０６ｃ…光入射面２０２の中心点
３００…カラーホイール
３２０…回転軸
３１１…光射出面２０４に対応するカラーホイール３００上の領域
３１０…フィルタ面
３１０Ｒ…Ｒ光透過フィルタ
３１０Ｇ…Ｇ光透過フィルタ
３１０Ｂ…Ｂ光透過フィルタ
４００…リレー光学系
５００…反射ミラー
６００…フィールドレンズ
７００…ＤＭＤ（デジタル・マイクロミラー・デバイス）
７０２…ＤＭＤ７００の光入射面
８００…投写光学系
２００ａ…中空型のロッドインテグレータ
８００…本体部
８００ａ〜８００ｄ…側面部材
８０１…蓋部材
８０２…孔
８０３…出射面
８０４…入射面
８０５…Ｔａ２Ｏ５及びＳｉＯ２の多層膜
８０６…銀膜
８０７…光射出口
８１１…蓋部材
８１３…出射面
８１４…入射面
８１６…Ｔａ２Ｏ５及びＳｉＯ２の多層膜
８２１…蓋部材
８２３…出射面
８２４…入射面
８２６…銀膜
８３０…ファン
【図１】
2004163481.tif 000004
【図２】
2004163481.tif 000005
【図３】
2004163481.tif 000006
【図４】
2004163481.tif 000007
【図５】
2004163481.tif 000008
【図６】
2004163481.tif 000009
【図７】
2004163481.tif 000010
【図８】
2004163481.tif 000011
【図９】
2004163481.tif 000012